(57)【要約】【課題】  ケース内の支持部材が民生品の自重によって潰れるのを防止し、筐体を支承する防振材の固有振動数での共振による振動・衝撃を効果的に吸収することが出来る振動・衝撃吸収筐体を提供する。【解決手段】  防振材２を介して支承された筐体１内にケース６を配設し、上記ケース内に防振対策が必要な民生品３Ａ、３Ｂを収納するようにした振動・衝撃吸収筐体において、上記ケース６の内壁に振動・衝撃を吸収し得るゲル状シート５を上記民生品の上下面及び側面に密着するように装着すると共に、上記ケース内で上記民生品の下面を支承するように、弾力が可変の支持部材４を設け、上記支持部材の弾力を調整することにより上記民生品の支持高さを調整し上記民生品の下面に装着されたゲル状シートが潰れないようにしたものである。【選択図】        図１
2006226325.tif 000002
【特許請求の範囲】
【請求項１】
防振材を介して支承された筐体内にケースを配設し、上記ケース内に防振対策が必要な民生品を収納するようにした振動・衝撃吸収筐体において、上記ケースの内壁に振動・衝撃を吸収し得るゲル状シートを上記民生品の上下面及び側面に密着するように装着すると共に、上記ケース内で上記民生品の下面を支承するように、弾力が可変の支持部材を設け、上記支持部材の弾力を調整することにより上記民生品の支持高さを調整し上記民生品の下面に装着されたゲル状シートが潰れないようにしたことを特徴とする振動・衝撃吸収筐体。
【請求項２】
上記支持部材は、内部に非圧縮性流体を充填した弾性のある袋状部材と、この袋状部材に装着されたナット部と、上記ナット部に袋状部材の外部から螺着され先端部が上記袋状部材内に延侵あるいは退出することにより上記袋状部材の内容積を可変し得る調整ねじとから構成されていることを特徴とする請求項１記載の振動・衝撃吸収筐体。
【請求項３】
上記支持部材は、内部に非圧縮性流体を充填した弾性のある袋状密封部材によって構成されたことを特徴とする請求項１記載の振動・衝撃吸収筐体。
【請求項４】
上記支持部材の側面四方に押圧力を印加し得るようにした押圧装置を設け、側方から上記支持部材を押圧することにより上記支持部材の高さ方向の寸法を調整し得るようにしたことを特徴とする請求項２または請求項３記載の振動・衝撃吸収筐体。
【請求項５】
上記支持部材は、内部に圧縮性流体を充填した弾性のある袋状部材と、この袋状部材に装着されたガス注入口とから構成され、上記圧縮性流体の内部圧力を調整することにより弾力を可変し得るようにしたことを特徴とする請求項１記載の振動・衝撃吸収筐体。
【請求項６】
防振材を介して支承された筐体内に支持板を配設し、上記支持板上に防振対策が必要な民生品を載置するようにした振動・衝撃吸収筐体において、上記支持板をばねによって支承すると共に、上記支持板の上下面及び側面にそれぞれ上下方向及び側面方向に移動可能な可動アングルを設け、上記各可動アングルで囲まれた上記支持板上に上記民生品を載置すると共に、上面及び側面可動アングルの内壁に振動・衝撃を吸収し得るゲル状シートを上記民生品の上面及び側面に密着するように装着し、かつ下面可動アングルの内壁と上記支持板との間に上記ゲル状シートを装着したことを特徴とする振動・衝撃吸収筐体。
【請求項７】
上記ゲル状シートは上記民生品の自重と上記ばねとが平衡状態に達した状態で装着することを特徴とする請求項６記載の振動・衝撃吸収筐体。
【発明の詳細な説明】
【技術分野】
【０００１】
この発明は、トラック等に搭載され、電子機器等を収納して移送する筐体の振動・衝撃吸収装置で、防振材を介して支承された筐体において、上記防振材の固有振動数での共振による振動・衝撃を吸収するようにした振動・衝撃吸収筐体に関するものである。
【背景技術】
【０００２】
従来の振動・衝撃吸収筐体は、防振材を介して支承された筐体内に防振対策が必要な民生品を収納するケースを保持し、このケースと民生品との間に設けた支持部材を介して民生品を支承すると共に、上記防振材と支持部材との振動減衰特性を異ならせることにより上記民生品に対する振動・衝撃を吸収するようにしていた（例えば特許文献１参照）。
【０００３】
【特許文献１】特開平９−２０４７６６号公報（段落００２０）
【発明の開示】
【発明が解決しようとする課題】
【０００４】
従来の振動・衝撃吸収筐体は上記のように構成されていたため、質量の重い民生品を収納した場合には、ケース内の支持部材が民生品の自重で潰れ、支持部材の振動減衰特性を十分に発揮させることができないという問題点があった。
【０００５】
また、ケース内の支持部材をばね材で構成することにより、民生品の自重によって潰れる事態を防止するものもあったが、この場合には、民生品の数が複数の場合、個々の民生品に対してそれぞれの質量に応じたばね定数のばねを個別に製作する必要があるという問題点があった。
【０００６】
この発明は、上記のような問題点を解消するためになされたもので、ケース内の支持部材が民生品の自重によって潰れるのを防止し、筐体を支承する防振材の固有振動数での共振による振動・衝撃を効果的に吸収することが出来る振動・衝撃吸収筐体を提供することを目的とする。
【課題を解決するための手段】
【０００７】
この発明に係る振動・衝撃吸収筐体は、防振材を介して支承された筐体内にケースを配設し、上記ケース内に防振対策が必要な民生品を収納するようにした振動・衝撃吸収筐体において、上記ケースの内壁に振動・衝撃を吸収し得るゲル状シートを上記民生品の上下面及び側面に密着するように装着すると共に、上記ケース内で上記民生品の下面を支承するように、弾力が可変の支持部材を設け、上記支持部材の弾力を調整することにより上記民生品の支持高さを調整し上記民生品の下面に装着されたゲル状シートが潰れないようにしたものである。
【発明の効果】
【０００８】
この発明に係る振動・衝撃吸収筐体は上記のように構成され、ケース内で民生品の下面を支承するために弾力を可変し得る支持部材を設け、その弾力を調整して民生品を浮かせた状態に保持できるようにしたため、民生品の上下面及び側面に密着して振動・衝撃から民生品を保護するゲル状シートが民生品の自重によって潰れる事態を防止し、ゲル状シートの振動・衝撃吸収特性を十分に利用することができる。
【０００９】
また、支持部材の弾力を可変し得るようにしたため、質量の異なる民生品に対しては、弾力を調整することにより支持部材の沈み込み量を質量に応じて調整することができることから、質量の異なる複数の民生品を支承する場合にも、各民生品ごとに個別の支持部材を製作する必要がなく、部品点数の削減を図ることができる。
【００１０】
更に、民生品の支持板をばねを介して筐体に支持させる場合には、民生品の自重とばねとが平衡状態に達した状態で民生品の周囲にゲル状シートを密着させるようにしたため、質量の異なる民生品ごとにばねを製作する必要がなく、部品の統一化を図ることができる。
【発明を実施するための最良の形態】
【００１１】
実施の形態１．
以下、この発明の実施の形態１を図にもとづいて説明する。図１は、実施の形態１の構成を示す断面図で、（ａ）は筐体内の構成を示す概略図、（ｂ）はケース内で民生品を支承する支持部材の構成を示す概略図である。
【００１２】
トラック等で電子機器等の民生品を移送する場合、図示しないシェルタやコンテナをトラックに搭載固縛し、その中に図１（ａ）に示すような筐体１を固定すると共に、筐体１内に複数の民生品３Ａ、３Ｂを収納する。収納の仕方については後述する。
【００１３】
筐体１の下面とシェルタやコンテナとの間には民生品３Ａ、３Ｂの耐振スペックを満足するような防振材２を設け、５〜400Hzまでの広い周波数範囲で振動減衰できるような振動対策を行なっている。
【００１４】
しかし、防振材２は、その固有振動数において共振を起こし、その周波数においては、車載の振動よりも更に大きな振動を筐体１に与えてしまう恐れがあるため、この共振による振動・衝撃を吸収するために筐体１内を次のような構成としている。
【００１５】
即ち、アングル７で民生品収納用のケース６を２個、上下に固定し、それぞれに収納される民生品３Ａ、３Ｂの上下面及び側面とケース６の内壁との間に振動・衝撃を吸収するゲル状シート５を装着して民生品３Ａ、３Ｂに密着させると共に、民生品３Ａ、３Ｂの下面を支承する支持部材４を適宜の数、設ける。
【００１６】
この支持部材４の詳細については後述するが、弾力を可変し得る構成とされ、民生品３Ａ、３Ｂを下方から支承して浮かせた状態に保持するものである。なお、図１（ａ）は筐体１内に民生品を２個収納した例を示しているが、それ以外の数でもよいことは云うまでもない。
【００１７】
この支持部材４は、民生品３Ａ、３Ｂの下面に装着されるゲル状シート５が民生品３Ａ、３Ｂの自重によって潰されると振動・衝撃減衰作用が機能しなくなるため、ゲル状シート５に大きな自重がかからないように、民生品３Ａ、３Ｂを下方から支承して浮かせた状態に保持するためのものである。
【００１８】
図１（ｂ）は支持部材４の構成を拡大して示す概略図である。
ゴム等で構成された弾性のある袋状部材９の内部に水、油等の粘性のある非圧縮性流体１０を充填すると共に、袋状部材９にナット部１１を装着し、このナット部１１に袋状部材９の外部から調整ねじ１２を螺着して形成されている。
【００１９】
調整ねじ１２は、ねじを締めたり緩めたりすることによってその先端部が袋状部材９内に延侵あるいは退出するようになっており、それによって袋状部材９の内容積が可変し弾力を調整し得るようになっているもので、民生品３Ａ、３Ｂの質量に応じて弾力を調整することにより、民生品３Ａ、３Ｂの下面に装着されたゲル状シート５が民生品の自重によって潰れないようにするものである。
【００２０】
仮に、民生品３Ａが民生品３Ｂより質量が大きく、民生品３Ａのゲル状シート５が民生品３Ｂのゲル状シート５より大きく潰れる場合には、民生品３Ａの下方に設けられた支持部材４の調整ねじ１２を多く締め込み、袋状部材９の内容積を小さくすると、気体の状態方程式PV=一定（P:圧力、V:体積）より袋状部材９内の圧力が大きくなり、袋状部材９が硬くなり、民生品３Ａの潰れ代が小さくなってゲル状シート５に大きな自重がかからないように調整することができる。
【００２１】
これによって筐体１の防振材２の固有振動数での共振時に民生品３Ａ、３Ｂに荷重が加わった場合、袋状部材９が変形し、ゲル状シート５の振動・衝撃吸収作用が効果的に機能して民生品の振動・衝撃を吸収することができる。
【００２２】
実施の形態２．
次に、この発明の実施の形態２を図にもとづいて説明する。図２は、実施の形態２の構成を示す概略図である。この図に示すように、図１（ｂ）に示す支持部材４と同様に構成されたものをケース６の底板６Ａあるいは他の支持板６Ａ上に調整ねじ１２で位置決めすると共に、袋状部材９の側面の四方にそれぞれ押圧装置３０を設け、袋状部材９を外方から押圧し得るようにしたものである。
【００２３】
押圧装置３０は、底板あるいは支持板６Ａに固定された支持台１５と、この支持台１５にねじ孔を形成し、このねじ孔に水平方向からつまみ１４を有するねじ１４Ａをねじ込み、ねじ１４Ａの内端に設けた可動板１３を袋状部材９に当接させたものである。
【００２４】
ねじ１４Ａが内方に進むようにつまみ１４を回転させると、各可動板１３が袋状部材９を押圧して袋状部材９の高さ方向の寸法を大きくするため、図１（ａ）に示す民生品３Ａ、３Ｂの下面を押し上げることからゲル状シート５に大きな自重がかからないように調整することができる。
【００２５】
なお、支持部材４の構成は、図１（ｂ）に示すものには限定されず、ナット部１１と調整ねじ１２を袋状部材９から取り外し、袋状部材９のみで内部に非圧縮性流体あるいは圧縮性流体を密封したものを使用しても同様な効果を期待することができる。
【００２６】
また、図３に示すように、袋状部材９の中に充填してある非圧縮性流体を空気等の圧縮性流体１６に変更し、ガス注入口１７よりガスの注入、排出を行なうようにしても同等の効果を期待することができる。更に、民生品３Ａ、３Ｂにおいて、電気的な導通が必要な場合には、支持部材４の袋状部材９を導電性のある材料で構成して電気的導通を確保することもできる。
【００２７】
実施の形態３．
次に、この発明の実施の形態３を図にもとづいて説明する。図４は、支持部材４の代わりにねじ１２とばね１８とで民生品３Ａの自重を受け、ゲル状シート５に大きな自重がかからないように調整できるようにしたものである。
【００２８】
民生品３Ａをばね１８に載せた際の沈み込み量に応じて、ケース６に切られたねじ部と螺合する調整ねじ１２を回すことにより、ばね接触面の高さが変わるため上述の各実施の形態と同様な効果を期待することができる。
【００２９】
実施の形態４．
次に、この発明の実施の形態４を図にもとづいて説明する。図５は、筐体１に装着したばね１８によって支持板２０を支承し、この支持板２０に民生品３Ａを載せるようにしたものである。また、この支持板２０には、その上下面及び側面にそれぞれ矢印で示すように、上下方向及び側面方向に移動可能な可動アングル１９が設けられている。
【００３０】
民生品３Ａを支持板２０に載せると、その自重に応じてばね１８が縮み、ある一定の変位量で平衡状態に達するが、その状態で民生品３Ａの周囲から可動アングル１９をそれぞれ矢印で示すように、民生品方向に移動し、上面及び側面の可動アングル１９の内壁と民生品３Ａとの間にゲル状シート５を装着し、かつ下面の可動アングル１９の内壁と上記支持板２０との間にもゲル状シート５を装着するものである。
【００３１】
この結果、支持板２０の下面のゲル状シート５を潰すことなく、ゲル状シートの振動・衝撃吸収作用を十分に機能させることができ、筐体の防振材２の固有振動数での民生品３Ａの共振による振動・衝撃を吸収することができる。
【００３２】
また、ばね１８の形状はコイルばね、重ね板ばね、渦巻きばね、さらばね等、種々の形状にしても同様な効果を期待することができる。更に、ばね１８の代わりに弾性を有するゴムのような素材を用いても同様な効果を達成することができる。
【００３３】
実施の形態５．
次に、この発明の実施の形態５を図にもとづいて説明する。図６は、実施の形態５の構成を示す概略図で、（ａ）は正面断面図、（ｂ）は（ａ）のＡ−Ａ線に沿った断面図である。
これらの図に示すように、実施の形態１及び２における支持部材４の代わりに、ばね鋼をほぼＶ字形に折曲して形成した折曲金具２１を民生品３Ａの下面に装着したものである
【００３４】
この実施の形態では、民生品３Ａの質量の違いに応じて折曲金具２１の個数を変更することにより民生品３Ａの沈み込み量を変化させることができるので、上述した各実施の形態と同様な効果を期待することができる。
【図面の簡単な説明】
【００３５】
【図１】この発明の実施の形態１の構成を示す断面図で、（ａ）は筐体内の構成を示す概略図、（ｂ）は支持部材の構成を示す概略図である。
【図２】この発明の実施の形態２の構成を示す概略図である。
【図３】この発明の実施の形態２の別の実施例を示す概略断面図である。
【図４】この発明の実施の形態３の構成を示す概略断面図である。
【図５】この発明の実施の形態４の構成を示す概略断面図である。
【図６】この発明の実施の形態５の構成を示す概略断面図である。
【符号の説明】
【００３６】
１  筐体、  ２  防振材、  ３Ａ、３Ｂ  民生品、  ４  支持部材、  ５  ゲル状シート、  ６  ケース、  ７  アングル、  ９  袋状部材、  １０  非圧縮性流体、
１１  ナット部、  １２  調整ねじ、  １３  可動板、  １４  つまみ、  １４Ａ  ねじ、  １５  支持台、  １６  圧縮性流体、  １７  ガス注入口、  １８  ばね、
１９  可動アングル、  ２０  支持板、  ２１  折曲金具、  ３０  押圧装置。
【図１】
2006226325.tif 000003
【図２】
2006226325.tif 000004
【図３】
2006226325.tif 000005
【図４】
2006226325.tif 000006
【図５】
2006226325.tif 000007
【図６】
2006226325.tif 000008